(57)【要約】【課題】高さの小型化が図れる電子部品の取付構造及び回転式電子部品を提供する。【解決手段】板体を屈曲することで電子部品取付部８１と圧接接続部８５とを形成した取付具８０を具備し、電子部品取付部８１に回転式電子部品１を取り付けるとともに、圧接接続部８５と取付台１２０との間に回路基板１４０と回転式電子部品１から引き出したフレキシブル基板１１とを挟持することで回路基板１４０に設けた端子パターンとフレキシブル基板１１に設けた端子パターン間を圧接接続する。基台２５の基板折曲辺２２の両端に、回転体５０に取り付けられてこの回転体５０を中立位置に自動復帰させるねじりコイルバネ７３の両側の引出部７７を当接する係止部３１を設ける。係止部３１の引出部７７が当接する面上には緩衝用チューブ３７を設けることが好ましい。【選択図】図１
2006179787.tif 000002
【特許請求の範囲】
【請求項１】
取付台上に回路基板とこの回路基板に電気的に接続する電子部品とを設置してなる電子部品の取付構造において、
電子部品取付部と圧接接続部とを有する取付具を具備し、
前記取付具の電子部品取付部に電子部品を取り付けるとともに、
前記取付具の圧接接続部と前記取付台との間に前記回路基板と前記電子部品から引き出したフレキシブル回路基板とを挟持することで前記回路基板に設けた端子パターンとフレキシブル回路基板に設けた端子パターン間を圧接接続することを特徴とする電子部品の取付構造。
【請求項２】
前記取付具は屈曲させることで形成される二つの面をそれぞれ電子部品取付部及び圧接接続部とすることで、電子部品取付部に取り付けた電子部品から引き出したフレキシブル回路基板と前記回路基板との挟持を、電子部品から離れる位置にある圧接接続部で行ったことを特徴とする請求項１に記載の電子部品の取付構造。
【請求項３】
表面に機能パターン部と端子パターン部とを設けたフレキシブル回路基板と、前記フレキシブル回路基板の機能パターン部を設けた部分を取り付ける基台と、前記フレキシブル基板の機能パターン部を設けた部分の上に回動自在に取り付けられて機能パターン部の出力を変化する回転体とを具備する回転式電子部品において、
前記基台に基板折曲辺を設けて前記フレキシブル回路基板をこの基板折曲辺の部分で前記回転体から離れる方向に向けて折り曲げ、折り曲げた部分にある端子パターン部に金属端子を取り付けるか、又は他の回路基板を接続することを特徴とする回転式電子部品。
【請求項４】
前記端子パターン部の他の回路基板との接続は、圧接接続であることを特徴とする請求項３に記載の回転式電子部品。
【請求項５】
前記基台の基板折曲辺の両端に、前記回転体を中立位置に自動復帰させるコイルバネの両側の引出部をそれぞれ当接する係止部を設けたことを特徴とする請求項３又は４に記載の回転式電子品。
【請求項６】
前記回転式電子部品を取付台上に設置し、且つ前記基板折曲辺と取付台との間に、基板折曲辺で折り曲げたフレキシブル回路基板の折り曲げ部分をたわめた状態で収納する隙間部を設けたことを特徴とする請求項３又は４又は５に記載の回転式電子部品。
【請求項７】
表面に機能パターン部と端子パターン部とを設けたフレキシブル回路基板と、前記フレキシブル回路基板の機能パターン部を設けた部分を取り付ける基台と、前記フレキシブル回路基板の機能パターン部を設けた部分の表面上に回動自在に取り付けられて機能パターン部の出力を変化する回転体とを具備する回転式電子部品において、
前記基台に基板折曲辺を設けて前記フレキシブル回路基板をこの基板折曲辺の部分で前記回転体から離れる方向に向けて折り曲げ、折り曲げた部分にある端子パターン部に金属端子を取り付けるか、又は他の回路基板を接続するとともに、
前記基台の基板折曲辺の両端に、前記回転体に取り付けられてこの回転体を中立位置に自動復帰させるコイルバネの両側の引出部をそれぞれ当接する係止部を設け、
さらに前記係止部の前記コイルバネの引出部が当接する面上又はコイルバネの引出部の何れかに、コイルバネの引出部が当接する際の衝撃力を緩和する緩衝部材を設けたことを特徴とする回転式電子部品。
【請求項８】
屈曲させることで形成される二つの面をそれぞれ電子部品取付部及び圧接接続部としてなる取付具を具備し、
前記取付具の電子部品取付部に前記回転式電子部品を取り付けるとともに、
前記フレキシブル回路基板の基板折曲辺の部分で折り曲げた部分への他の回路基板の接続が、前記取付具の圧接接続部の面上において前記フレキシブル回路基板の折り曲げた部分と前記他の回路基板とを重ね合わせて挟持することで行われることを特徴とする請求項７に記載の回転式電子部品。
【発明の詳細な説明】
【技術分野】
【０００１】
本発明は、電子部品の取付構造及び回転式電子部品に関するものである。
【背景技術】
【０００２】
従来、例えば回転式電子部品は、回転側の部材を回動することでその電気的出力を変化するように構成されている。図６はこの種従来の回転式電子部品（揺動式電子部品）１８０を示す図である。同図（ａ）に示すように回転式電子部品１８０は、金属板製の基台１９０上にフレキシブル回路基板２００を載せ、その上に中立点復帰用バネ２３０を取り付けたモールド樹脂製の回転体２１０を回動自在に取り付けて構成されている。ここで基台１９０の両側辺の下部の対向する位置には紙面手前側に折り曲げられて突出する係止片１９１，１９３が設けられ、また基台１９０のほぼ中央には紙面手前側に突出する円筒状の軸部１９５が設けられている。フレキシブル回路基板２００はその表面の回転体２１０によって隠れている部分に、円弧状のスイッチパターン（又は抵抗体パターン）を印刷し、その下端部に金属端子板製の端子２１１を突出するように取りつけて構成されている。
【０００３】
回転体２１０はモールド樹脂製であり、略円板状の基部２１２の外周側面からレバー２１３を突出し、また基部２１２の中央を前記軸部１９５によって回動自在に軸支し、その周囲に突出部２２３を設け、さらにその周囲にリング状に凹むバネ収納部２１７を設け、バネ収納部２１７の下部には切り欠き２１８を設けてその両側を当接部２１９，２２１として構成されている。なお基部２１２のフレキシブル回路基板２００側の面には図示しない摺動子が取り付けられており、フレキシブル回路基板２００のスイッチパターン（又は抵抗体パターン）に当接している。
【０００４】
中立点復帰用バネ２３０はねじりコイルバネであり、リング状に巻いたコイル部２３１をバネ収納部２１７内に収納し、両端の引出部２３３，２３５をそれぞれ回転体２１０の当接部２１９，２２１と、基台１９０の係止片１９１，１９３の両者に係止することで回転体２１０を中立点に位置している。
【０００５】
そしてこの回転式電子部品１８０は各金属板製の端子２１１の先端を、図示しない硬質の回路基板上に形成した端子パターンの部分に設けた穴に挿入し、半田付けによってこの端子パターンと端子２１１とを接続することで、回転式電子部品１８０を回路基板に電気的・機械的に固定する。
【０００６】
そして例えば図６（ｂ）に示すようにレバー２１３を矢印ａ方向に押圧すると回転体２１０は時計回りに揺動し、図示しない摺動子がスイッチパターン（又は抵抗体パターン）上を摺動することで各端子２１１間の電気的出力が変化する。このとき中立点復帰用バネ２３０の左側の引出部２３３は係止片１９１に係止されたままであるが、右側の引出部２３５は当接部２２１に押圧されて引出部２３３側に移動し、このときコイル部２３１は絞られて強い弾発復帰力を生じ、従ってレバー２１３への押圧を解除すると回転体２１０は元の中立点位置に自動復帰する。
【０００７】
しかしながら上記従来の回転式電子部品１８０には以下のような問題点があった。
（１）この回転式電子部品１８０は、その下端から金属板製の端子２１１を突出しているので、この回転式電子部品１８０を図示しない回路基板上に取り付けた際の回転式電子部品１８０の回路基板からの高さが高くなり、この回転式電子部品１８０を搭載する電子機器の小型化が阻害されてしまう。
【０００８】
（２）端子２１１の図示しない回路基板への固定に半田を用いているので、半田に鉛が含まれている場合、環境上問題がある。
【特許文献１】特開２００２−１９８２０９号公報
【発明の開示】
【発明が解決しようとする課題】
【０００９】
本発明は上述の点に鑑みてなされたものでありその目的は、高さの小型化が図れるとともに、半田を用いないでも回路基板に容易に接続することができる、構造の簡単な電子部品の取付構造及び回転式電子部品を提供することにある。
【課題を解決するための手段】
【００１０】
本願請求項１に記載の発明は、取付台上に回路基板とこの回路基板に電気的に接続する電子部品とを設置してなる電子部品の取付構造において、電子部品取付部と圧接接続部とを有する取付具を具備し、前記取付具の電子部品取付部に電子部品を取り付けるとともに、前記取付具の圧接接続部と前記取付台との間に前記回路基板と前記電子部品から引き出したフレキシブル回路基板とを挟持することで前記回路基板に設けた端子パターンとフレキシブル回路基板に設けた端子パターン間を圧接接続することを特徴とする電子部品の取付構造にある。
【００１１】
本願請求項２に記載の発明は、前記取付具は屈曲させることで形成される二つの面をそれぞれ電子部品取付部及び圧接接続部とすることで、電子部品取付部に取り付けた電子部品から引き出したフレキシブル回路基板と前記回路基板との挟持を、電子部品から離れる位置にある圧接接続部で行ったことを特徴とする請求項１に記載の電子部品の取付構造にある。
【００１２】
本願請求項３に記載の発明は、表面に機能パターン部と端子パターン部とを設けたフレキシブル回路基板と、前記フレキシブル回路基板の機能パターン部を設けた部分を取り付ける基台と、前記フレキシブル基板の機能パターン部を設けた部分の上に回動自在に取り付けられて機能パターン部の出力を変化する回転体とを具備する回転式電子部品において、前記基台に基板折曲辺を設けて前記フレキシブル回路基板をこの基板折曲辺の部分で前記回転体から離れる方向に向けて折り曲げ、折り曲げた部分にある端子パターン部に金属端子を取り付けるか、又は他の回路基板を接続することを特徴とする回転式電子部品にある。
【００１３】
本願請求項４に記載の発明は、前記端子パターン部の他の回路基板との接続は、圧接接続であることを特徴とする請求項３に記載の回転式電子部品にある。
【００１４】
本願請求項５に記載の発明は、前記基台の基板折曲辺の両端に、前記回転体を中立位置に自動復帰させるコイルバネの両側の引出部をそれぞれ当接する係止部を設けたことを特徴とする請求項３又は４に記載の回転式電子品にある。
【００１５】
本願請求項６に記載の発明は、前記回転式電子部品を取付台上に設置し、且つ前記基板折曲辺と取付台との間に、基板折曲辺で折り曲げたフレキシブル回路基板の折り曲げ部分をたわめた状態で収納する隙間部を設けたことを特徴とする請求項３又は４又は５に記載の回転式電子部品にある。
【００１６】
本願請求項７に記載の発明は、表面に機能パターン部と端子パターン部とを設けたフレキシブル回路基板と、前記フレキシブル回路基板の機能パターン部を設けた部分を取り付ける基台と、前記フレキシブル回路基板の機能パターン部を設けた部分の表面上に回動自在に取り付けられて機能パターン部の出力を変化する回転体とを具備する回転式電子部品において、前記基台に基板折曲辺を設けて前記フレキシブル回路基板をこの基板折曲辺の部分で前記回転体から離れる方向に向けて折り曲げ、折り曲げた部分にある端子パターン部に金属端子を取り付けるか、又は他の回路基板を接続するとともに、前記基台の基板折曲辺の両端に、前記回転体に取り付けられてこの回転体を中立位置に自動復帰させるコイルバネの両側の引出部をそれぞれ当接する係止部を設け、さらに前記係止部の前記コイルバネの引出部が当接する面上又はコイルバネの引出部の何れかに、コイルバネの引出部が当接する際の衝撃力を緩和する緩衝部材を設けたことを特徴とする回転式電子部品にある。
【００１７】
本願請求項８に記載の発明は、屈曲させることで形成される二つの面をそれぞれ電子部品取付部及び圧接接続部としてなる取付具を具備し、前記取付具の電子部品取付部に前記回転式電子部品を取り付けるとともに、前記フレキシブル回路基板の基板折曲辺の部分で折り曲げた部分への他の回路基板の接続が、前記取付具の圧接接続部の面上において前記フレキシブル回路基板の折り曲げた部分と前記他の回路基板とを重ね合わせて挟持することで行われることを特徴とする請求項７に記載の回転式電子部品にある。
【発明の効果】
【００１８】
請求項１に記載の発明によれば、一つの取付具に、電子部品の取付台への取り付け機能と、電子部品と回路基板間の電気的接続機能とを併せ持たせたので、電子部品の取付台への取り付けと、電子部品と回路基板との電気的接続とを、少ない部品で容易且つ確実に行うことができる。
【００１９】
また取付具の圧接接続部と取付台との間に回路基板と電子部品から引き出したフレキシブル回路基板とを挟持することで回路基板に設けた端子パターンとフレキシブル回路基板に設けた端子パターン間を圧接接続するように構成したので、両者の接続に半田は不要となり、環境上良好になる。
【００２０】
請求項２に記載の発明によれば、取付具の電子部品取付部に取り付けた電子部品から引き出したフレキシブル回路基板と回路基板との挟持を、電子部品から離れる位置にある圧接接続部で行ったので、電子部品と回路基板との電気的接続が電子部品から離れる位置で行え、これによって電子部品の高さを低くすることができ、この電子部品を搭載した機器の小型化、特に高さの小型化が図れる。
【００２１】
請求項３に記載の発明によれば、基台に基板折曲辺を設けてフレキシブル回路基板をこの基板折曲辺の部分で回転体から離れる方向に向けて折り曲げ、折り曲げた部分にある端子パターン部に金属端子を取り付けるか、又は他の回路基板を接続することで回転式電子部品を構成したので、電子部品の高さを低くすることができ、この電子部品を搭載した機器の小型化、特に高さの小型化が図れる。
【００２２】
請求項５に記載の発明によれば、基台の基板折曲辺の両端に、前記回転体を中立位置に自動復帰させるコイルバネの両側の引出部をそれぞれ当接する係止部を設けたので、基台にコイルバネの両側の引出部をそれぞれ当接する機能を併せ持たせることができる。
【００２３】
請求項６に記載の発明によれば、回転式電子部品を取付台上に設置し、且つ基板折曲辺と取付台との間に、基板折曲辺で折り曲げたフレキシブル回路基板の折り曲げ部分をたわめた状態で収納する隙間部を設けたので、隙間部によって基板折曲辺で折り曲げたフレキシブル回路基板の折り曲げ部分を直角に折り曲げないでたわめた状態に湾曲させて折り曲げて後方に引き出すことができ、従ってフレキシブル回路基板上の回路パターンを傷めることがない。
【００２４】
請求項７に記載の発明によれば、基台に基板折曲辺を設けてフレキシブル回路基板をこの基板折曲辺の部分で回転体から離れる方向に向けて（後方に）折り曲げ、折り曲げた部分にある端子パターン部に金属端子を取り付けるか、又は他の回路基板を接続することで回転式電子部品を構成したので、回転式電子部品の高さを低くすることができ、この回転式電子部品を搭載した機器の小型化、特に高さの小型化が図れる。また基台の基板折曲辺の両端に、回転体に取り付けられてこの回転体を中立位置に自動復帰させるコイルバネの両側の引出部をそれぞれ当接する係止部を設けたので、基台にコイルバネの両側の引出部をそれぞれ当接する機能を併せ持たせることができる。さらに係止部又はコイルバネの引出部の何れかに、コイルバネの引出部が当接する際の衝撃力を緩和する緩衝部材を設けたので、回転体が中立位置から回転した後に自動復帰する際に、係止部から離れていた引出部が係止部に強く当接しようとしても、その衝撃力が緩衝部材によって緩衝され、従って当接音や当接による振動が防止できる。
【００２５】
本願請求項８に記載の発明は、取付具の電子部品取付部に回転式電子部品を取り付けるとともに、フレキシブル回路基板の基板折曲辺の部分で折り曲げた部分への他の回路基板の接続を、取付具の圧接接続部の面上においてこれらフレキシブル回路基板の折り曲げた部分と他の回路基板とを重ね合わせて挟持することで行うので、回転式電子部品と回路基板との電気的接続が回転式電子部品の後方で行え、これによって回転式電子部品の高さを低くすることができ、この回転式電子部品を搭載した機器の小型化、特に高さの小型化が図れる。
【発明を実施するための最良の形態】
【００２６】
以下、本発明の実施の形態を図面を参照して詳細に説明する。
図１は本発明を適用してなる回転式電子部品（以下この実施の形態では「揺動式電子部品」という）１の取付構造の側断面図である。同図に示すようにこの揺動式電子部品１の取付構造は、金属板を略Ｌ字状に屈曲することで、電子部品取付部８１と圧接接続部８５とを有する取付具８０を具備し、前記取付具８０の電子部品取付部８１に揺動式電子部品１を取り付けると共に、前記取付具８０の圧接接続部８５と取付台１２０との間に回路基板１４０と前記揺動式電子部品１から引き出したフレキシブル回路基板１１とを挟持することで前記回路基板１４０に設けた下記する端子パターン１４１とフレキシブル回路基板１１に設けた下記する端子パターン１９間を圧接接続した状態でこれら各部材を取付台１２０に固定して構成されている。以下各構成部品について説明する。
【００２７】
図２は前記揺動式電子部品１の取付構造の分解斜視図である。同図において揺動式電子部品１は、可撓性の合成樹脂フイルムの表面に機能パターン部１３と端子パターン部１５とを設けたフレキシブル回路基板１１と、前記フレキシブル回路基板１１の機能パターン部１３を設けた部分を取り付ける基台２５と、前記フレキシブル回路基板１１の機能パターン部１３を設けた部分の上（表面上）に回動自在に取り付けられて機能パターン部１３の出力を変化する回転体５０とを具備し、前記基台２５の下部に基板折曲辺２２を設けて前記フレキシブル回路基板１１をこの基板折曲辺２２の部分で後方に（前記回転体５０から離れる方向に向けて）折り曲げ、折り曲げた部分にある端子パターン部１５に他の回路基板１４０を圧接接続によって接続して構成されている。フレキシブル回路基板１１と基台２５を合わせて固定側部材１０を構成している。
【００２８】
ここで固定側部材１０は図１，図２及び図３に示すように、フレキシブル回路基板１１の周囲と背面とにモールド樹脂製の基台２５をインサート成形によって取り付けて構成されている。フレキシブル回路基板１１は基台２５に保持される機能パターン部１３と、基台２５の下部から突出する端子パターン部１５とを具備しており、機能パターン部１３の表面には円弧状の摺接パターン１７が設けられ、端子パターン部１５には端子パターン１９が設けられ、摺接パターン１７と端子パターン１９間は接続パターン２１によって接続されている。なお摺接パターン１７はスイッチパターンであっても良いし、抵抗体パターンであっても良く、さらにそれら以外の機能を有するパターンであっても良い。また端子パターン部１５の両側面には下記する係止片８７を係合する凹状の係合部２３，２３が設けられている。
【００２９】
一方基台２５は成形樹脂を略半円板状に成形して構成され、その下部に前記円板を直線状にカットするように設けた基板折曲辺２２を設けている。つまり基台２５は、フレキシブル回路基板１１の機能パターン部１３の周囲と背面とを囲むように成形されている。また基部２５の上面中央にはストッパー用の係止部２７が設けられ、また基板折曲辺２２の両側には前方（回転体５０側）に向かって突出する取付部２９，２９が設けられている。取付部２９の上面は外方向に向かって下がるように傾斜する面状の係止部３１，３１となっている。そしてフレキシブル回路基板１１の機能パターン部１３の略中央とこれに対向する基台２５の背面には、両者を貫通する軸貫通穴３３が設けられている。基台２５の背面の軸貫通穴３３の上部には図１に示すように位置決め突起３５が突設されている。
【００３０】
図４は回転体５０の分解斜視図である。同図に示すように回転体５０は回転部材５１と摺動子６７と弾発手段（以下この実施の形態では「ねじりコイルバネ」という）７３と押え部材７９とを具備して構成されている。回転部材５１は略円板状のモールド樹脂成形品であり、一方の面を摺動子取付面５３とし、他方の面を弾発手段収納部５５としている。弾発手段収納部５５はその外周から円形の側壁５７を突出することで構成され、その両側に切り欠き状の引出部突出部５９，５９を設け、またその上下部分に固定部６１，６１を突出し、またその中央に軸貫通孔６３を設けている。また回転部材５１の上面からはつまみ取付部６５を突出している。引出部突出部５９，５９の下側の面は当接部６０，６０となっている。弾発手段収納部５５の内径は、下記するねじりコイルバネ７３のコイル部７５の外径よりも少し大きい寸法に形成され、これによって弾発手段収納部５５の内周面部分でコイル部７５の外周を支持するように構成されている。
【００３１】
摺動子６７は弾性金属板を略リング状に形成し、その上下部分二ヶ所に穴からなる取付部６９，６９を設け、また左右両側部分二ヶ所に摺接部７１，７１を設けて構成されている。
【００３２】
ねじりコイルバネ７３は線材をコイル状に巻き回したコイル部７５の両端から引出部７７，７７を引き出して構成されている。このねじりコイルバネ７３は両引出部７７，７７を上方向に移動することでコイル部７５の内径が小さくなって絞られる方向になるように巻き回されている。
【００３３】
押え部材７９はリング状の金属板であって前記回転部材５１の弾発手段収納部５５を塞ぐ外径形状に形成され、その上下には前記回転部材５１の固定部６１，６１を挿入する溝状の固定部係止部７９１，７９１を設けている。
【００３４】
そしてこの回転体５０を組み立てるには、まず回転部材５１の摺動子取付面５３に摺動子６７を載置して摺動子取付面５３に設けた図示しない小突起を摺動子６７の取付部６９，６９に挿入してその先端を熱カシメすることで固定する。次に回転部材５１の弾発手段収納部５５内にねじりコイルバネ７３のコイル部７５を収納して両端の引出部７７，７７をそれぞれ回転部材５１の引出部突出部５９，５９から突出させて当接部６０，６０に弾接させ、その上から押え部材７９を被せて固定部係止部７９１，７９１に固定部６１，６１を挿入してその先端を熱カシメして固定すれば、図２に示す回転体５０が完成する。
【００３５】
軸１５０は図２に示すように、略円柱状であってその中間にその外径を大きく張り出してなるつば部１５１を設け、その一方の側（固定側部材１０側）を軸支部１５３、他方の側を軸固定部１５５としている。
【００３６】
次に取付具８０は金属板を略Ｌ字状に屈曲させることで略直角をなして形成される二つの面をそれぞれ電子部品取付部８１及び圧接接続部８５としており、上下方向に平面を有する電子部品取付部８１の略中央下部には円形の貫通孔からなる軸取付部８３を設け、その上部には貫通孔からなる位置決め部８４を設け、一方前後方向に平面を有する圧接接続部８５の両側辺からは下方向に折り曲げられる二本ずつの係止片８７が突設されている。
【００３７】
回路基板１４０は、可撓性を有する合成樹脂フイルム上に３つの端子パターン１４１を設け、各端子パターン１４１から引き出した引出パターン１４３をこの回路基板１４０の引出部１４５に導出している。なお回路基板１４０の引出部１４５の図示しない更に先の部分には図示しない他の各種回路が形成され、各種電子部品が搭載されている。また回路基板１４０の先端側の一辺には二つの凹状の係合部１４７が設けられ、また各端子パターン１４１を形成した部分よりも引出部１４５側の部分にも二つの貫通孔からなる係合部１４７が設けられている。
【００３８】
取付台１２０はモールド樹脂成形品を略矩形状に成形して構成されており、その前方側は電子部品設置部１２１、後方側は基板圧接部１２３となっている。基板圧接部１２３の略中央には矩形状で凹状の弾発手段収納部１２５が設けられ、また基板圧接部１２３の両側辺にはそれぞれ２つずつの凹状の係合部１２７が設けられている。またこの弾発手段収納部１２５内に収納される弾発手段１３０は弾性金属板製であり、略矩形状の基部１３１の長手方向の一側辺から三本の弾発片１３３を突出して上方向に折り曲げ、それぞれの先端に上方向に突出する弾発部１３５を形成して構成されている。電子部品設置部１２１の上面は、基板圧接部１２３の上面よりも寸法ｔだけ低く形成されている。
【００３９】
次にこの揺動式電子部品１の取付構造の組み立て方法を説明する。まず揺動式電子部品１を組み立てるには、図２において、軸１５０の軸固定部１５５を取付具８０の軸取付部８３に挿入してその先端をカシメることで両者を一体に固定する。次に取付具８０の電子部品取付部８１の面に固定側部材１０の基台２５の背面を当接し、このとき固定側部材１０の軸貫通穴３３に軸１５０の軸支部１５３を挿入し、同時に取付具８０の位置決め部８４に固定側部材１０の位置決め突起３５（図１参照）を挿入して位置決めする。そして固定側部材１０の軸貫通穴３３から突出した軸支部１５３を回転体５０の軸貫通孔６３に挿入し、さらに軸貫通孔６３から突出した軸支部１５３にリング状の金具２４を挿入してその先端をカシメれば、揺動式電子部品１の組み立てと同時に、取付具８０の電子部品取付部８１への揺動式電子部品１の取り付けが完了する。
【００４０】
次に取付台１２０の弾発手段収納部１２５内に弾発手段収納部１２５の開口面より下記する弾発部１３５が所定寸法外側に突出している形状の弾発手段１３０を収納した上で、その上に端子パターン１４１を上向きとした回路基板１４０を載置する。次に取付具８０に取り付けた固定側部材１０のフレキシブル回路基板１１の端子パターン部１５を取付具８０の圧接接続部８５の下面側に折り曲げたものを、前記回路基板１４０上に載置する。このとき取付具８０の各係止片８７をフレキシブル回路基板１１の各係合部２３と、回路基板１４０の各係合部１４７と、取付台１２０の各係合部１２７に係合し、各係止片８７の先端を取付台１２０の裏面に折り曲げ、これによって揺動式電子部品１を固定した取付具８０を取付台１２０に固定すると同時に、取付台１２０上に載置した回路基板１４０の三つの端子パターン１４１とフレキシブル回路基板１１の三つの端子パターン１９とを圧接接続部８５の下面と弾発手段１３０の三つの弾発部１３５とによってそれぞれ圧接接続する。つまり取付具８０の圧接接続部８５と取付台１２０との間に回路基板１４０と揺動式電子部品１から引き出したフレキシブル回路基板１１とを挟持することで弾発手段１３０の三つの弾発部１３５が弾発手段収納部１２５の開口部から突出する前記所定寸法が押し下げられることにより、その弾発力により回路基板１４０に設けた端子パターン１４１とフレキシブル回路基板１１に設けた端子パターン１９間を圧接接続する。即ち電子部品取付部８１に取り付けた揺動式電子部品１から引き出したフレキシブル回路基板１１と回路基板１４０との挟持を、揺動式電子部品１の後方の位置（揺動式電子部品１から離れる位置）にある圧接接続部８５で行っている。
【００４１】
ところで図１に示すように、揺動式電子部品１を取付台１２０上に設置し、前記端子パターン部１５の回路基板１４０との接続を取付台１２０上で行い、且つ図２に示すように取付台１２０の電子部品設置部１２１の上面を基板圧接部１２３の上面よりも寸法ｔだけ低く形成することで、基板折曲辺２２と取付台１２０との間に、基板折曲辺２２で折り曲げたフレキシブル回路基板１１の折り曲げ部分をたわめた状態で収納する隙間部Ａを形成している。つまり隙間部Ａによって基板折曲辺２２で折り曲げたフレキシブル回路基板１１の折り曲げ部分を直角に折り曲げないでそれ以下のゆるい角度でたわめた状態に湾曲させて後方に引き出すことができ、従ってフレキシブル回路基板１１上の回路パターン（接続パターン２１）を傷めることがない。
【００４２】
図５は以上のようにして組み立てられた揺動式電子部品１の動作説明図（但し、押え部材７９の記載は省略）である。なおこの揺動式電子部品１のつまみ取付部６５にはつまみ１６０を取り付けている。そして回転体５０が中立位置にあるときは、ねじりコイルバネ７３の両引出部７７，７７は回転体５０の当接部６０，６０と固定側部材１０の係止部３１，３１に弾接している。なおねじりコイルバネ７３のコイル部７５の外周は弾発手段収納部５５の内周部分で支持されている。
【００４３】
そして例えばつまみ１６０を矢印Ａ方向に揺動すれば、回転体５０全体が矢印Ａ方向に揺動し、摺動子６７の摺接部７１がフレキシブル回路基板１１の摺接パターン１７上を摺動してその出力を変化する。その際ねじりコイルバネ７３の左側の引出部７７は元の位置に保持されたまま右側の引出部７７が当接部６０によって押し上げられて図５（ｂ）の状態となる。このときねじりコイルバネ７３のコイル部７５はそのターン数を増やす方向にねじられるためその外径は小さくなり、従ってコイル部７５の外周が弾発手段収納部５５の内周面に強く当接することはなく、そのねじれがスムーズ且つ確実に行える。そしてつまみ１６０の揺動を解除すれば、ねじりコイルバネ７３の弾発復帰力によって回転体５０は元の図５（ａ）の状態に自動復帰する。
【００４４】
そして上記揺動式電子部品１の取付構造によれば、図１に示すように、一枚の取付具８０に、揺動式電子部品１の取付台１２０への取り付け機能と、揺動式電子部品１と回路基板１４０間の電気的接続機能とを併せ持たせたので、これら両機能を少ない部品で容易且つ確実に達成できる。
【００４５】
更には基台２５に基板折曲辺２２を設けて前記フレキシブル回路基板１１をこの基板折曲辺２２の部分で後方に（回転体５０から離れる方向に向けて）折り曲げ、折り曲げた部分にある端子パターン部１５に他の回路基板１４０を接続したので、揺動式電子部品１と回路基板１４０との電気的接続が揺動式電子部品１の後方で行え、これによって揺動式電子部品１の高さを低くすることができ、この揺動式電子部品１を搭載した機器の小型化、特に高さの小型化が図れる。
【００４６】
また上記揺動式電子部品１の取付構造によれば、取付具８０の電子部品取付部８１への揺動式電子部品１の取り付けを、揺動式電子部品１の回転体５０を軸支する軸１５０の一端を電子部品取付部８１に固定することで行っている。つまり軸１５０に回転体５０を回動自在に軸支する機能と、この揺動式電子部品１を取付具８０に固定する機能とを兼用させることで、部品点数の削減と構造の簡素化とを図っている。
【００４７】
図７は本発明の他の実施の形態を適用してなる回転式電子部品（以下この実施の形態では「揺動式電子部品」という）１−２の取付構造の分解斜視図、図８はこの実施の形態に用いる固定側部材１０−２の斜視図である。両図に示す揺動式電子部品１−２及びその取付構造において、前記図１〜図５に示す実施の形態にかかる揺動式電子部品１と同一又は相当部分には同一符号を付す。なお以下で説明する事項以外の事項については、前記図１〜図５に示す実施の形態と同じである。揺動式電子部品１−２において、前記揺動式電子部品１と相違する概要は、基台２５の基板折曲辺２２の両端に設けた一対の取付部２９，２９の周囲に、緩衝部材（以下この実施の形態では「緩衝用チューブ」という）３７，３７を取り付けた点である。即ち緩衝用チューブ３７は、図８に示すように、可撓性を有する柔軟な樹脂（例えばシリコンゴム等）を円筒状に形成して構成されており、その内径は、前記取付部２９（チューブ取付部２９ｂ）の外周に少し広がって取り付くことで適度な摩擦力で固定される寸法となっている。一方取付部２９は、その根元の部分２９ａに比べて緩衝用チューブ３７が取り付く先端側のチューブ取付部２９ｂの外形全体の寸法を緩衝用チューブ３７の厚み分小さくなるように、前記図２に示す取付部２９よりも細く形成している。
【００４８】
そして図８において、取付部２９を緩衝用チューブ３７に挿入して取り付けることで、取付部２９の上側の面（ねじりコイルバネ７３の引出部７７が当接する側の面）である係止部３１上に緩衝用チューブ３７を設置する。次に図７において、この緩衝用チューブ３７を取り付けた固定側部材１０−２を用いて、前記図２において説明したのと同じ方法で揺動式電子部品１−２を組み立て、さらに前記図２において説明したのと同じ方法で揺動式電子部品１−２を固定した取付具８０を取付台１２０に固定すると同時に取付台１２０上に載置した回路基板１４０の端子パターン１４１とフレキシブル回路基板１１の端子パターン１９とを圧接接続部８５の下面と弾発手段１３０の弾発部１３５とによって圧接接続する。
【００４９】
つまりこの実施の形態にかかる揺動式電子部品１−２は、表面に機能パターン部１３と端子パターン部１５とを設けたフレキシブル回路基板１１と、前記フレキシブル回路基板１１の機能パターン部１３を設けた部分を取り付ける基台２５と、前記フレキシブル回路基板１１の機能パターン部１３を設けた部分の表面上に回動自在に取り付けられて機能パターン部１３の出力を変化する回転体５０とを具備し、前記基台２５に基板折曲辺２２を設けて前記フレキシブル回路基板１１をこの基板折曲辺２２の部分で前記回転体５０から離れる方向に向けて折り曲げ、折り曲げた部分にある端子パターン部１５に他の回路基板１４０を接続するとともに、前記基台２５の基板折曲辺２２の両端に、前記回転体５０に取り付けられてこの回転体５０を中立位置に自動復帰させるねじりコイルバネ７３の両側の引出部７７をそれぞれ当接する係止部３１を設け、さらに前記係止部３１の前記ねじりコイルバネ７３の引出部７７が当接する面上に、ねじりコイルバネ７３の引出部７７が当接する際の衝撃力を緩和する緩衝用チューブ３７を設けて構成されている。
【００５０】
さらにこの実施の形態にかかる揺動式電子部品１−２は、屈曲させることで形成される二つの面をそれぞれ電子部品取付部８１及び圧接接続部８５としてなる取付具８０を具備し、前記取付具８０の電子部品取付部８１に前記揺動式電子部品１−２を取り付けるとともに、前記フレキシブル回路基板１１の基板折曲辺２２の部分で折り曲げた部分への他の回路基板１４０の接続を、前記取付具８０の圧接接続部８５の面上において前記フレキシブル回路基板１１の折り曲げた部分と前記他の回路基板１４０とを重ね合わせて挟持することで行なっている。
【００５１】
図９は以上のようにして組み立てられた揺動式電子部品１−２の動作説明図（但し、押え部材７９の記載は省略）である。なお揺動式電子部品１−２のつまみ取付部６５にはつまみ１６０を取り付けている。そして回転体５０が中立位置にあるときは、ねじりコイルバネ７３の両引出部７７，７７は回転体５０の当接部６０，６０と固定側部材１０−２の係止部３１，３１上の緩衝用チューブ３７とに弾接している。なおねじりコイルバネ７３のコイル部７５の外周は弾発手段収納部５５の内周部分で支持されている。そして例えばつまみ１６０を矢印Ａ方向に揺動すれば、回転体５０全体が矢印Ａ方向に揺動し、摺動子６７の摺接部７１がフレキシブル回路基板１１の摺接パターン１７上を摺動してその出力を変化する。その際ねじりコイルバネ７３の左側の引出部７７は元の位置に保持されたまま右側の引出部７７が当接部６０によって押し上げられて図９（ｂ）の状態となる。このときねじりコイルバネ７３のコイル部７５はそのターン数を増やす方向にねじられるためその外径は小さくなり、従ってコイル部７５の外周が弾発手段収納部５５の内周面に強く当接することはなく、そのねじれがスムーズ且つ確実に行える。そしてつまみ１６０の揺動を解除すれば、ねじりコイルバネ７３の弾発復帰力によって回転体５０は元の図９（ａ）の状態に自動復帰する。そしてこの実施の形態においては、ねじりコイルバネ７３の引出部７７が係止部３１に当接しようとする衝撃力を緩和する緩衝用チューブ３７を係止部３１の上面（引出部７７が当接する面上）に設けたので、回転体５０を中立位置から回転した後に自動復帰する際に、係止部３１（正確には緩衝用チューブ３７の表面）から離れていた引出部７７が係止部３１に強く当接しようとしても、その衝撃力はその上にある緩衝用チューブ３７によって緩衝され、従って当接音や当接による振動が緩衝され、防止される。
【００５２】
ところで上記実施形態では緩衝部材を緩衝用チューブ３７によって構成したが、これに替えてねじりコイルバネ７３の引出部７７に緩衝用チューブ３７を被せるように取り付けても良い。また上記実施の形態では緩衝部材として緩衝用チューブ３７を用いたが、本発明の緩衝部材は緩衝用チューブ３７に限定されるものではなく、その代りに例えば係止部３１の面上に弾性を有する板（合成樹脂板やゴム板）を貼り付けたり、係止部３１の面上に弾性を有する合成樹脂材やゴム材を塗布したりすることで緩衝部材を構成しても良い。要は係止部３１のねじりコイルバネ７３の引出部７７が当接する面上又はコイルバネ７３の引出部７７の何れかに設けられて、コイルバネ７３の引出部７７が当接する際の衝撃力を緩和する緩衝部材であれば、どのような形状・構造・材質の緩衝部材であっても良い。
【００５３】
なおこの揺動式電子部品１−２の取付構造の場合も、前記図１〜図５に示す実施の形態と同様に、一枚の取付具８０に、揺動式電子部品１−２の取付台１２０への取り付け機能と、揺動式電子部品１−２と回路基板１４０間の電気的接続機能とを併せ持たせたので、これら両機能を少ない部品で容易且つ確実に達成できる。更には基台２５に基板折曲辺２２を設けて前記フレキシブル回路基板１１をこの基板折曲辺２２の部分で後方に（回転体５０から離れる方向に向けて）折り曲げ、折り曲げた部分にある端子パターン部１５に他の回路基板１４０を接続したので、揺動式電子部品１−２と回路基板１４０との電気的接続が揺動式電子部品１の後方で行え、これによって揺動式電子部品１の高さを低くすることができ、この揺動式電子部品１を搭載した機器の小型化、特に高さの小型化が図れる。また上記揺動式電子部品１−２の取付構造によれば、取付具８０の電子部品取付部８１への揺動式電子部品１−２の取り付けを、揺動式電子部品１−２の回転体５０を軸支する軸１５０の一端を電子部品取付部８１に固定することで行っている。つまり軸１５０に回転体５０を回動自在に軸支する機能と、この揺動式電子部品１−２を取付具８０に固定する機能とを兼用させることで、部品点数の削減と構造の簡素化とを図っている。
【００５４】
以上本発明の実施の形態を説明したが、本発明は上記実施の形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば回路基板１４０の端子パターン１４１とフレキシブル回路基板１１の端子パターン１９間の圧接接続は、弾発手段１３０を用いて行う代わりに、取付具８０の圧接接続部８５自体に弾発部を設けてフレキシブル回路基板１１の上側からこれを弾発するように構成しても良いし、取付台１２０自体に弾発部を設けて回路基板１４０をその下側から弾発するように構成しても良い。また上記実施の形態では回路基板１４０はフレキシブル回路基板だが、硬質回路基板でもよい。
【００５５】
また上記実施の形態では取付具８０に取り付ける電子部品として揺動式電子部品（回転式電子部品）１を用いたが、取付具に取り付けることができる電子部品であれば、他の構造の回転式電子部品等、他の各種電子部品であっても良い。
【００５６】
また上記各実施の形態では、基台２５に基板折曲辺２２を設けてフレキシブル回路基板１１をこの基板折曲辺２２の部分で後方に（回転体５０から離れる方向に向けて）折り曲げ、折り曲げた部分にある端子パターン部１５に他の回路基板１４０を圧接接続したが、導電接着剤等による接続であっても良い。更には端子パターン部１５に他の回路基板１４０を接続する代りに、端子パターン部１５の各端子パターン１９に直接金属端子を取り付けてそれを接続手段としてもかまわない。
【図面の簡単な説明】
【００５７】
【図１】本発明を適用してなる回転式電子部品（揺動式電子部品）１の取付構造の側断面図である。
【図２】揺動式電子部品１の取付構造の分解斜視図である。
【図３】固定側部材１０の斜視図である。
【図４】回転体５０の分解斜視図である。
【図５】揺動式電子部品１の動作説明図（但し、押え部材７９の記載は省略）である。
【図６】従来の回転式電子部品（揺動式電子部品）１８０を示す図である。
【図７】本発明の他の実施の形態を適用してなる回転式電子部品（揺動式電子部品）１−２の取付構造の分解斜視図である。
【図８】固定側部材１０−２の斜視図である。
【図９】揺動式電子部品１−２の動作説明図（但し、押え部材７９の記載は省略）である。
【符号の説明】
【００５８】
１  揺動式電子部品（回転式電子部品、電子部品）
１０  固定側部材
１１  フレキシブル回路基板
１３  機能パターン部
１５  端子パターン部
１７  摺接パターン
１９  端子パターン
２５  基台
２９  取付部
３１  係止部
３３  軸貫通穴
５０  回転体
５１  回転部材
５３  摺動子取付面
５５  弾発手段収納部
５９  引出部突出部
６０  当接部
６３  軸貫通孔
６７  摺動子
７１  摺接部
７３  ねじりコイルバネ（コイルバネ、弾発手段）
７５  コイル部
７７  引出部
７９  押え部材
８０  取付具
８１  電子部品取付部
８３  軸取付部
８４  位置決め部
８５  圧接接続部
８７  係止片
１２０  取付台
１２１  電子部品設置部
１２３  基板圧接部
１２５  弾発手段収納部
１３０  弾発手段
１３３  弾発片
１３５  弾発部
１４０  回路基板
１４１  端子パターン
１４３  引出パターン
１４５  引出部
１５０  軸
１５１  つば部
１５３  軸支部
１５５  軸固定部
１−２  揺動式電子部品（回転式電子部品、電子部品）
１０−２  固定側部材
３７  緩衝用チューブ（緩衝部材）
【図１】
2006179787.tif 000003
【図２】
2006179787.tif 000004
【図３】
2006179787.tif 000005
【図４】
2006179787.tif 000006
【図５】
2006179787.tif 000007
【図６】
2006179787.tif 000008
【図７】
2006179787.tif 000009
【図８】
2006179787.tif 000010
【図９】
2006179787.tif 000011